(57)【要約】 【課題】  経血などの体液の漏れを防止し、装着者に湿潤による不快感を与えない吸収具を提供することである。【解決手段】  透水性を有する表面側シート２と、表面側シート２を介して吸収した体液を保持する吸水層３と、不透水性を有する裏面側シート５と、吸水層３と裏面側シート５との間に介在される導水層４とを含む吸収具１であって、表面側シート２の長手方向中間部の少なくとも一部を導水層４に接触させる。【選択図】      図１
2006014792.tif 000002
【特許請求の範囲】
【請求項１】
透水性を有する表面側シートと、
表面側シートを介して吸収した体液を保持する吸水層と、
不透水性を有する裏面側シートと、
表面側シートと裏面側シートとの間に、少なくとも一部を吸水層と表面側シートに接触させた状態で介在される導水層を含む吸収具であって、
表面側シートの長手方向中間部の少なくとも一部を導水層に接触させたことを特徴とする吸収具。
【請求項２】
前記表面側シートの長手方向中間部の少なくとも一部は、その周囲の領域に対して、導水層よりに退避して凹溝が形成されることを特徴とする請求項１記載の吸収具。
【請求項３】
前記導水層は、拡散吸水性シートであることを特徴とする請求項１または２に記載の吸収具。
【請求項４】
吸水層の間に吸水性ポリマが介在されることを特徴とする請求項１〜３のいずれか１つに記載の吸収具。
【発明の詳細な説明】
【技術分野】
【０００１】
本発明は、生理用ナプキン、女性用衛生パッドおよび尿失禁パッドなどの吸収具に関する。
【背景技術】
【０００２】
生理用ナプキン、パンティライナー、尿失禁パッド、使い捨ておむつなどの吸収具が、種々開発されている。多量の体液が装着者から排出された場合には、体液が吸収具の表面から流れ出して漏れ出たり、流れ出さないまでも吸収具の表面が湿ることによって装着者に湿潤による不快感を与える場合がある。これらの吸収具において、体液の横及び前後漏れ防止を図ることはきわめて重要である。この問題を解決する典型的な技術が、特許文献１に記載されている。この従来の技術は、吸収性を高め、かつ、液漏れを防止するため、長手方向中央部に立体形状からなる突設部が形成されるとともに、該突設部の外周囲に凹部が形成される吸収具である。
【０００３】
【特許文献１】特開平１１−３３０５４号公報
【発明の開示】
【発明が解決しようとする課題】
【０００４】
吸収剤を増量して吸収具の長手方向中央部に突設部を形成することは、経血などの体液の吸収性を高めるためには有効である。多くの吸収剤を含有する突設部を設けることによって体液の吸収性を増した吸収具は、突設部に多くの体液が吸収され、突設部の表面側シートが湿ってしまい、装着者に湿潤による不快感を与えるものとなりがちである。本発明の目的は、経血などの体液の漏れを防止し、装着者に湿潤による不快感を与えない吸収具を提供することである。
【課題を解決するための手段】
【０００５】
本発明は、透水性を有する表面側シートと、
表面側シートを介して吸収した体液を保持する吸水層と、
不透水性を有する裏面側シートと、
表面側シートと裏面側シートとの間に、少なくとも一部を吸水層と表面側シートに接触させた状態で介在される導水層を含む吸収具であって、
表面側シートの長手方向中間部の少なくとも一部を導水層に接触させたことを特徴とする吸収具である。
【０００６】
本発明に従えば、経血などの体液は、表面側シートの長手方向中間部の少なくとも一部から導水層へ移動する。経血などの体液は、導水層によって吸水層の広い範囲に導かれて短時間に吸収されるので、表面近傍よりも吸水層の内方に水分が多く存在することになる。したがって、肌に接する表面側シート部分には水分が滞留せずほとんどない状態に保たれるので、装着者に湿潤による不快感をほとんど与えない。
【０００７】
また、導水層により経血などの体液を吸水層に導くことができるので、従来よりも、経血などの体液の吸収量を増すことができる。また、吸収量を増すことができるのでより少ない吸収材料で吸水層を構成することができ、吸収具の小型化、薄型化および軽量化などを図ることができる。さらに、折り畳んでも、前記従来の技術に関連して述べた突設部を設けたときのように嵩むことがなく、運搬に便利である。
【０００８】
本発明は、前記表面側シートの長手方向中間部の少なくとも一部は、その周囲の領域に対して、導水層よりに退避して凹溝が形成されることを特徴とする。
【０００９】
本発明に従えば、凹溝が形成される。装着者から排出された経血などの体液は、一時的に凹溝内に貯留される。貯留された体液は、凹溝の側面部および底部から導水層を伝わり吸水層で吸収される。さらに、表面層を介して吸収される速度よりも排出される液体の供給速度の方が速くても一時的に凹溝内に蓄えることができる。供給速度と吸収速度の差があっても許容される。したがって、体液の漏れを効果的に防止することができる。
【００１０】
吸収具の長手方向中央部に凹溝が形成されるため、長手方向中央部の凹溝の周辺部が可動状態になり中央に向けて縮まりやすくなる。したがって、股間の幅の狭い人であっても好適に用いることができる。
【００１１】
本発明は、前記導水層は、拡散吸水性シートであることを特徴とする。
本発明に従えば、導水層は表面側シートを介して吸収した体液を広範囲に拡散することができ、吸水層各部に体液を送ることができる。
【００１２】
本発明は、吸水層の間に吸水性ポリマが介在されることを特徴とする。
本発明に従えば、吸水層に介在される吸水性ポリマが多くの水分を吸収するので吸収能力が向上する。吸収具を軽く薄くすることができる。
【発明の効果】
【００１３】
本発明によれば、吸収能力に優れ、装着者に湿潤による不快感をほとんど与えない吸収具を提供することができる。また、吸収能力が優れているので小型、薄型および軽量の吸収具を提供することができる。したがって、折り畳んでも嵩まないので、運搬に便利な吸収具を提供することができる。
【００１４】
本発明によれば、経血などの体液が吸収具から表面を伝わって漏れることを防止することができる。また、股間の幅の狭い人であっても吸収具の長手方向中間部の周辺部が幅方向に縮減可能であるので好適に用いることができる。
【００１５】
本発明によれば、体液は導水層に吸収され広範囲に拡散されるので、広範囲の吸水層に体液を送ることができる。
【００１６】
本発明によれば、吸水性ポリマが多くの水分を吸収するので、経血などの体液を吸収する能力がさらに向上する。吸収具を軽く薄くすることができる。
【発明を実施するための最良の形態】
【００１７】
図１は、本発明の実施の一形態である吸収具１を示す正面図である。図２は、図１の切断面線Ａ−Ａから見た断面図である。
【００１８】
吸収具１は、透水性を有する表面側シート２と、不透水性を有する裏面側シート５と、表面側および裏面側シート５に介在される吸水層３と、表面側シート２および裏面側シート５間に少なくとも一部を吸水層３と表面側シート２に接触させた状態で介在される導水層4とを含んで構成される。
【００１９】
表面側シート２は、たとえば不織布によって実現される。吸収具１を使用するときは、表面側シート２が装着者の肌に直接接触する側に配置される。肌着に近い感触を有する不織布を表面側シート２に用いれば、装着者は違和感なく吸収具１を使用できる。
【００２０】
吸水層３は、たとえばフラッフパルプおよび吸水ポリマを含んで構成される。吸水ポリマは、たとえばアクリル酸ナトリウム塩またはアクリル酸カリウム塩からなる。この吸水層３は、表面側シート２を介して吸収した経血などの体液を吸収してゲル状に凝固させて保持することによって、表面側シート２から漏れ出ないようにすることができる。表面側シート２を介して吸収したとは、必ずしも表面側シート２を直接通過して吸水層３に到達した体液を吸収した場合に限られず、表面側シート２を通過して導水層４を経由して吸水層３に到達した経血などの体液を吸収した場合も含まれる。
【００２１】
裏面側シート５は、たとえば、ポリエチレンなどの熱可塑性合成樹脂などによって実現され、吸収具１が使用されている状態で吸水層３に吸収された液体が外部に漏れ出ないようにすることができる。
【００２２】
図３は、本発明の実施の一形態の吸収具１において、経血などの体液の流れを示す断面図である。図３における矢印は、凹溝６内に貯留された体液が導水層４によってあるいは表面側シートを直接介して幅方向両側に拡がって分散される液体の分散経路を概略的に示し、その凹溝６内の液体は、吸水層３の略全面にわたって導かれて短時間に吸水層３に吸収される。
【００２３】
導水層４としては、たとえば、拡散吸水性シートによって実現することができる。拡散吸水性シートの材料としては、たとえば、セルロースを水素結合した不織布からなるティシュなどを用いることができる。導水層４の一部は、表面側シート２に接する。導水層４は、表面側シート２に接する部分およびその周辺にのみ設けてもよいが、好ましくは吸収具１の吸水層３の略全面にわたって設けるとよい。表面側シート２に接しない部分の導水層４の上には吸水層３が存在する。経血などの体液は、導水層４によって吸水層３に導かれる。導水層４として拡散吸水シートを用いた場合には、経血などの体液は、この拡散吸水シートに吸収され導水層４の各部へ拡散される。この導水層４は、吸水層３における毛細管現象による吸収速度よりも格段に高い吸収速度を有する。導水層４に浸透し拡散された経血などの体液は、吸水層３の下部から上部に向かって拡散されゲル状に凝固されるので、表面側シート近傍よりも吸水層３の下層部に水分が多く存在することになる。したがって、肌に接する表面側シート２部分には水分がほとんどないので、装着者に湿潤による不快感を与えることがほとんどない。
【００２４】
導水層４の働きにより吸水層３の各部に経血などの体液を行き渡らせることができるので、導水層４を設けないときよりも、経血などの体液の吸収量を増すことができる。また、体液の吸収量が増しているので、より少ない吸収材料で吸水層３を構成することができ、体液吸収性物品の小型化、薄型化および軽量化を図ることができる。
【００２５】
さらに、折り畳んだときに前記従来の技術で述べた突設部を設けたときのように嵩むことがなく、運搬および携帯に便利である。
【００２６】
本実施の一形態において、吸収具１の外形形状は、特に限定されることはないが、全体の厚みが薄く長手方向の中央部がくびれた楕円形の瓢箪形であることが好ましい。吸収具１の外形を長手方向の中央部がくびれた形にしているので、吸収具１の位置が大きくずれることなく着用ショーツ類に装着することができる。また、長手方向の中央部２４のくびれは、股間に装着した状態で両足の付け根の湾曲に沿って相互に近接する方向に退避した凹状に形成されており、股間の形状に沿うものであり付け心地が良好であり、しわによる隙間の発生が防がれている。
【００２７】
全体の長手方向の一端２０から他端２１までの最も長い長手方向の長さＬ１が１８．６ｃｍで、瓢箪形の小さい方の前方領域２２の最も長い前記長手方向に垂直な方向の長さＬ２が８．４ｃｍで、瓢箪形の大きい方の後方領域２３の最も長い前記長手方向に垂直な方向の長さＬ３が８．７ｃｍで、長手方向中間部の領域２４の前記長手方向に垂直な方向の最も短いところの長さＬ４が７．０ｃｍである。本発明の大きさおよび形状は、この大きさに限定されるものではなく、適宜大きさおよび形状を変更してよい。
【００２８】
前述の表面側シート２の長手方向中間部の少なくとも一部は、その周囲の領域に対して、導水層４よりに退避して凹溝６を形成されるものとすることができる。
【００２９】
凹溝６は、特に限定されるものではないが、一例として具体的に述べると、前記長手方向に垂直な方向の中央を通る中心軸線ｍ上で瓢箪形の小さい方の前方領域２２の長手方向の一端２０から４．６ｃｍの位置に溝の一端２５があり、この一端２５から他端２６に向かって長手方向に長さＬ＝６．３ｃｍにわたって延び、長手方向に垂直でかつ図１の紙面に垂直手前側の表面と平行方向に幅Ｗ＝１．０ｃｍ、長手方向に垂直でかつ表面に垂直方向に深さＨ＝３ｍｍ程度に形成され、その他端２６は瓢箪形の大きい方の後方領域２３の他端２１から前記一端２０側に間隔７．７ｃｍをあけて形成される。
【００３０】
凹溝６の位置としては、特に限定されるものではないが、凹溝６は吸収具１の長手方向中心軸線ｍ上で、吸収具１の長手方向の一端２０から全体の長さＬ１の１／４の位置に凹溝６の一端２５を形成するのが好ましい。凹溝６の長さＬは全体の長さＬ１の１／３程度とするのが好ましい。
【００３１】
凹溝６の長手方向の長さＬは、特に限定されないが、好ましくは４．０ｃｍ〜１２．０ｃｍである。凹溝６の長手方向の長さＬが４．０ｃｍ未満の場合には、吸収具１の位置ずれあるいは最適な装着位置の個人差などによって排泄部位から凹溝６が外れることがある。凹溝６の長手方向の長さＬが１２．０ｃｍ以上の場合には、フィット性が低下するため好ましくない。
【００３２】
凹溝６の幅Ｗは、特に限定されないが、好ましくは０．３ｃｍ以上２．５ｃｍ以下である。さらに、好ましくは０．７ｃｍを超え１．３ｃｍ未満である。０．３ｃｍ未満では、狭いために排血部が凹溝６からずれやすく実用にならない。０．７ｃｍ以下においても、排血部が凹溝６からずれる可能性があり、また充分な体液流入領域を確保できない可能性がある。１．３ｃｍを超えると吸収具１の剛性が上がりフィット性が低下しやすくなる。２．５ｃｍを超えると、その両側の肌への接触幅が少なくなり経血などの体液が外部に漏れやすくなる。
【００３３】
凹溝６の深さＨは、特に限定されないが、好ましくは２ｍｍ以上１５ｍｍ以下、より好ましくは２ｍｍ以上５ｍｍ以下である。凹溝の深さＨが２ｍｍ未満の場合には十分な体液流入領域が確保されない。凹溝６の深さＨが５ｍｍを超える場合には、吸収具１の厚みが厚くなり付け心地が悪くなる場合がある。凹溝６の深さＨが１５ｍｍを超える場合には表面側シート２が延伸によって破れが生じることがあるなどの問題が発生する場合がある。
【００３４】
また凹溝６の長手方向の両端部は、特に限定されないが、丸みを帯びた形状とするのが好ましい。肌に柔らかな感触を与えるためである。
【００３５】
適切な形状の凹溝６が適切な位置に設けられることによって、体内から排出される経血などの体液の供給速度の方が表面側シート２を介して吸収される速度よりも速くても一時的に吸収具１の凹溝６内に蓄えることができる。また、経血は短時間で凝固して急速に粘性が高くなり易いので、一旦凹溝６に蓄えられると吸収具１外部に漏れだしにくい。このため、一時的に供給速度と吸収速度の差があっても許容される。さらに、凹溝６から経血などの体液が少量溢れる程度であれば、凹溝６周辺の表面側シート２から吸水層３に経血などの体液が直接吸収される。したがって、経血などの体液が吸収具１から漏れることを防止することができる。
【００３６】
吸収具１の長手方向中間部に長手方向に長い凹溝６を設けるため、凹溝６の周辺部が可動状態になり中央に向けて縮まりやすくなる。したがって、股間の幅の狭い人であっても好適に用いることができる。
【００３７】
透水性を有する表面側シート２および不透水性を有する裏面側シート５は、ほぼ同じ大きさをそれぞれ有し、それらの周縁部は、ホットメルト接着剤を塗布して加熱加圧溶着することによって相互に固着される。
【００３８】
本実施の一形態の吸収具１は、公知の吸収具の製造方法と同様の方法によって製造できる。たとえば、裏面側シート５上に導水層４である拡散吸水性シートを適切な位置に載置する。この拡散吸水性シート上に凹溝６となるべき部分をくりぬいておいた吸水層である吸収シートを適切な位置に載置する。裏面側シート５の外形部となるべき部分の内周部分および拡散吸水性シートの凹溝６の底部となるべき部分上に、ホットメルト接着剤を塗布しておく。その上に表面側シート２を載せ凹凸を反転させておいた型を有するロールで加熱して圧着して、外周部並びに凹溝６部分をそれぞれ接着する。その後、カットして外形を形成する。
【００３９】
図４は、本発明の他の実施の形態の吸収具１ａの断面図である。なお、前述の実施の形態と対応する部分には同一の参照符号を付す。図４における矢印は、凹溝６内に貯留された体液が導水層４によってあるいは表面側シートを直接介して幅方向両側に拡がって分散される液体の分散経路を概略的に示し、その凹溝６内の体液は、導水層４の略全面にわたって導かれて短時間に吸水層３、３ａに吸収される。
【００４０】
この実施の形態の吸収具１ａは、透水性を有する表面側シート２と、表面側シート２を介して吸収した体液を保持する吸水層３と、不透水性を有する裏面側シート５と、吸水層３と裏面側シート５との間に介在される導水層４と、導水層４と裏面側シート５の間に介在される吸水層３ａによって構成される。前述の実施の一形態と同様に凹溝６を設けることができる。また、これらの材料は、前述の実施の一形態と同様のものを使用できる。この実施の形態の吸収具１ａにおいては、導水層４の下方にさらに第２の吸水層３ａがあるので、より多くの経血などの体液を吸収することができる。
【００４１】
図５は、本発明のさらに他の実施の形態の吸収具１ｂの断面図である。なお、前述の実施の形態と対応する部分には同一の参照符号を付す。図５における矢印は、凹溝６内に貯留された体液が導水層４によってあるいは表面側シート２を直接介して分散される液体の分散経路を概略的に示し、その凹溝６内の体液は、導水層４の略全体にわたって導かれて短時間に吸水層３に吸収される。
【００４２】
この実施の形態の吸収具１ｂは、透水性を有する表面側シート２と、表面側シート２を介して吸収した体液を保持する吸水層３と、表面側シート２に接する面を有し吸水層３に囲まれる導水層４と、不透水性を有する裏面側シート５とを含んで構成される。また、これらの材料は、前述の実施の一形態と同様のものを使用できる。導水層４は、吸水層３の幅方向両端部間に介在される前述の実施形態の導水層４よりも幅の小さい表面側シート２によって、図５の左方および右方に向けた矢印で示されるように導水層４の両側から吸水層３へも体液を分散させて吸水層３に吸収させることができる。吸収具１ｂの導水層４と吸水層３の構造は、たとえば、吸水層３の上に導水層４を載せ、導水層４の周りの吸水層３を折り曲げて導水層４の上に被せるようにすることにより実現できる。不透水性を有する裏面側シート５の形状は、特に制限されるわけではなく、平らであってもよいが、導水層４と裏面側シート５との間の吸水材の厚みに対応して表面側シート２から裏面側シート５の方向に膨らませておくことによって、導水層から下方へ分散した体液の吸収層３による吸収量を大きくすることができる。この実施の形態の吸収具１ｂにおいては、導水層４が吸水層３で囲まれているので、より多くの経血などの体液を吸収することができる。
【００４３】
本実施の各形態の吸収具１、１ａ、１ｂをそのまま用いてもよいが、本発明の実施のさらに他の形態では、これらの吸収具１、１ａに横漏れ防止用のウィング部を一体に形成した生理用ナプキンとして実現されてもよい。これらの場合、Ｂ方向を前方、Ｃ方向を後方として使用する。
【００４４】
本実施の形態の吸収具１、１ａ、１ｂは、たとえば、生理用パッド、パンティライナーのような女性用衛生パッド、および尿失禁パッドにも適用できる。
【図面の簡単な説明】
【００４５】
【図１】本発明の実施の一形態である吸収具１を示す正面図である。
【図２】図１の切断面線Ａ−Ａから見た断面図である。
【図３】本発明の実施の形態の吸収具１において、経血などの体液の流れを示す断面図である。
【図４】本発明の他の実施の形態の吸収具１ａの断面図である。
【図５】本発明のさらに他の実施の形態の吸収具１ｂの断面図である。
【符号の説明】
【００４６】
１，１ａ，１ｂ  吸収具
２  表面側シート
３，３ａ  吸水層
４  導水層
５  裏面側シート
６  凹溝
２０  吸収具の一端部
２１  吸収具の他端部
２２  前方領域
２３  後方領域
２４  長手方向中間部の領域
２５  凹溝の一端部
２６  凹溝の他端部
【図１】
2006014792.tif 000003
【図２】
2006014792.tif 000004
【図３】
2006014792.tif 000005
【図４】
2006014792.tif 000006
【図５】
2006014792.tif 000007